【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
パストランジスタロジック回路と、第１回路と、第２回路と、第１スイッチと、第２スイッチと、セレクタと、を有し、
前記第１回路は、第１端子と、第２端子と、第１出力端子と、を有し、
前記第２回路は、第３端子と、第４端子と、第２出力端子と、を有し、
前記パストランジスタロジック回路は、第１乃至第３入力端子と、第３出力端子と、を有し、
前記セレクタは、第４入力端子と、第４出力端子と、第５出力端子と、を有し、
前記第２回路の前記第３端子は、前記第１スイッチの一方の端子と電気的に接続され、
前記第１回路の前記第２端子は、前記第１スイッチの他方の端子と電気的に接続され、
前記第２スイッチの一方の端子は、前記第２回路の前記第４端子と電気的に接続され、
前記第２スイッチの他方の端子は、前記第１回路の前記第２端子と電気的に接続され、
前記第１回路の前記第１出力端子は、前記パストランジスタロジック回路の前記第１入力端子と電気的に接続され、
前記第２回路の前記第２出力端子は、前記パストランジスタロジック回路の前記第２入力端子と電気的に接続され、
前記パストランジスタロジック回路の前記第３出力端子は、前記セレクタの前記第４入力端子と電気的に接続され、
前記第１回路及び前記第２回路は、それぞれ抵抗ストリングを有し、
前記パストランジスタロジック回路の前記第３入力端子にデジタルデータが入力されることで、前記デジタルデータをアナログデータに変換する機能と、前記セレクタの前記第４出力端子又は前記第５出力端子から前記アナログデータを出力する機能と、を有する半導体装置。
【請求項２】
請求項１において、
前記パストランジスタロジック回路の前記第３出力端子と、前記セレクタの前記第４入力端子との電気的接続間に、第３回路を有し、
前記第３回路は、第５入力端子と、第６出力端子と、を有し、
前記第３回路の前記第５入力端子は、前記パストランジスタロジック回路の前記第３出力端子と電気的に接続され、
前記第３回路の前記第６出力端子は、前記セレクタの前記第４入力端子と電気的に接続され、
前記第３回路は、前記第３回路の前記第５入力端子に入力された電位を増幅して、前記第３回路の前記第６出力端子に出力する機能を有する半導体装置。
【請求項３】
請求項２において、
前記第３回路は、第５端子を有し、
前記第３回路は、前記第３回路の前記第５端子に入力される電位によって前記第３回路の動作を停止する機能を有する半導体装置。
【請求項４】
請求項１において、
前記パストランジスタロジック回路の前記第３出力端子と、前記セレクタの前記第４入力端子との電気的接続間に、第３スイッチを有し、
前記第３スイッチの一方の端子は、前記パストランジスタロジック回路の前記第３出力端子と電気的に接続され、
前記第３スイッチの他方の端子は、前記セレクタの前記第４入力端子と電気的に接続される半導体装置。
【請求項５】
請求項４において、
前記第３スイッチは、第１トランジスタを有し、
前記第１トランジスタのチャネル形成領域は、インジウム、元素Ｍ（元素Ｍは、アルミニウム、ガリウム、イットリウム、又はスズ）、亜鉛の少なくとも一を含む酸化物を有する半導体装置。
【請求項６】
請求項１において、
前記パストランジスタロジック回路の前記第３出力端子と、前記セレクタの前記第４入力端子との電気的接続間に、第３回路と、第３スイッチと、を有し、
前記第３回路は、第５入力端子と、第６出力端子と、を有し、
前記第３回路の前記第５入力端子は、前記パストランジスタロジック回路の前記第３出力端子と電気的に接続され、
前記第３回路の前記第６出力端子は、前記第３スイッチの一方の端子と電気的に接続され、
前記第３スイッチの他方の端子は、前記セレクタの前記第４入力端子と電気的に接続され、
前記第３回路は、前記第３回路の前記第５入力端子に入力された電位を増幅して、前記第３回路の前記第６出力端子に出力する機能を有する半導体装置。
【請求項７】
請求項６において、
前記第３スイッチは、第１トランジスタを有し、
前記第１トランジスタのチャネル形成領域は、インジウム、元素Ｍ（元素Ｍは、アルミニウム、ガリウム、イットリウム、又はスズ）、亜鉛の少なくとも一を含む酸化物を有する半導体装置。
【請求項８】
請求項２、請求項３、請求項６、請求項７のいずれか一項において、
前記第３回路は、オペアンプを有し、
前記第３回路の第５入力端子は、前記オペアンプの非反転入力端子と電気的に接続され、
前記第３回路の第６出力端子は、前記オペアンプの出力端子と電気的に接続され、
前記オペアンプの前記出力端子は、前記オペアンプの反転入力端子と電気的に接続される半導体装置。
【請求項９】
請求項１乃至請求項８のいずれか一項において、
前記第１回路は、第１抵抗素子と、第２抵抗素子と、を有し、
前記第２回路は、第３抵抗素子と、第４抵抗素子と、を有し、
前記第１回路の前記第１出力端子は、第５端子と、第６端子と、を有し、
前記第２回路の前記第２出力端子は、第７端子と、第８端子と、を有し、
前記第１回路の前記第１端子は、前記第１抵抗素子の一方の端子と電気的に接続され、
前記第１抵抗素子の他方の端子は、前記第２抵抗素子の一方の端子と電気的に接続され、
前記第２抵抗素子の他方の端子は、前記第１回路の前記第２端子と電気的に接続され、
前記第５端子は、前記第１抵抗素子の一方の端子と電気的に接続され、
前記第６端子は、前記第２抵抗素子の一方の端子と電気的に接続され、
前記第２回路の前記第３端子は、前記第３抵抗素子の一方の端子と電気的に接続され、
前記第３抵抗素子の他方の端子は、前記第４抵抗素子の一方の端子と電気的に接続され、
前記第４抵抗素子の他方の端子は、前記第２回路の前記第４端子と電気的に接続され、
前記第７端子は、前記第３抵抗素子の一方の端子と電気的に接続され、
前記第８端子は、前記第４抵抗素子の一方の端子と電気的に接続される半導体装置。
【請求項１０】
請求項１乃至請求項９のいずれか一項において、
前記第１スイッチ、及び第２スイッチのそれぞれは、第２トランジスタを有し、
前記第２トランジスタのチャネル形成領域は、インジウム、元素Ｍ（元素Ｍは、アルミニウム、ガリウム、イットリウム、又はスズ）、亜鉛の少なくとも一を含む酸化物を有する半導体装置。
【請求項１１】
請求項１乃至請求項１０のいずれか一項において、
第４スイッチと、第５スイッチと、を有し、
前記第４スイッチの一方の端子は、前記第４端子と電気的に接続され、
前記第５スイッチの一方の端子は、前記第４端子と電気的に接続される半導体装置。
【請求項１２】
請求項１乃至請求項１１のいずれか一項に記載の半導体装置と、照度計と、第４回路と、第５回路と、第１表示パネルと、第２表示パネルと、を有するシステムであり、
前記照度計は、前記第４回路と電気的に接続され、
前記第４回路は、前記第５回路と電気的に接続され、
前記第５回路は、前記半導体装置と電気的に接続され、
前記第１表示パネルは、前記半導体装置と電気的に接続され、
前記第２表示パネルは、前記半導体装置と電気的に接続され、
前記第４回路は、前記照度計で測定された照度に基づいて、前記第１表示パネル及び／又は前記第２表示パネルに表示する画像の階調を決定する第１データを生成する機能を有し、
前記第５回路は、外部から送られてきた第２データと、前記階調の情報と、に基づいて、前記半導体装置に送信する入力信号を生成する機能を有するシステム。
【請求項１３】
請求項１２に記載のシステムの動作方法であり、
第１乃至第１０ステップを有し、
前記第１ステップは、前記照度計によって、前記照度が計測されるステップを有し、
前記第２ステップは、前記照度計から前記照度を前記第４回路に送信するステップを有し、
前記第３ステップは、前記第４回路によって、前記照度に基づいて、前記第１表示パネルの階調、及び前記第２表示パネルの階調を決定する前記第１データを生成するステップを有し、
前記第４ステップは、前記第４回路から前記第１データを前記第５回路に送信するステップと、外部から前記第２データを前記第５回路に送信するステップと、を有し、
前記第５ステップは、前記半導体装置を初期化するステップを有し、
前記第６ステップは、前記第５回路において、前記第１データと、前記第２データと、に応じて、前記第１表示パネルに送信するための第３データを生成するステップと、前記第５回路から前記第３データを前記半導体装置に送信するステップと、前記半導体装置において、前記第３データをデジタルアナログ変換して第４データにするステップと、を有し、
前記第７ステップは、前記半導体装置から前記第４データを前記第１表示パネルに送信して、前記第１表示パネルに画像を表示するステップを有し、
前記第８ステップは、前記半導体装置を初期化するステップを有し、
前記第９ステップは、前記第５回路において、前記第１データと、前記第２データと、に応じて、前記第２表示パネルに送信するための第５データを生成するステップと、前記第５回路から前記第５データを前記半導体装置に送信するステップと、前記半導体装置において、前記第５データをデジタルアナログ変換して第６データにするステップと、を有し、
前記第１０ステップは、前記半導体装置から前記第６データを前記第２表示パネルに送信して、前記第２表示パネルに画像を表示するステップを有し、
前記第２データは、ビデオデータである動作方法。